(57)【要約】      （修正有）【課題】投影光路を最適化する拡大表示画面デバイスを提供する。【解決手段】スタンド１と、表示モジュール２と、反射モジュール３と、拡大モジュール４とを備えた拡大表示画面デバイスに関し、凹面鏡の虚像形成原理を利用して、被写体を数倍に拡大し、被写体距離の数倍の距離で結像することができる。携帯電話、コンピュータ、オーディオ／ビデオプレーヤー、ＵＳＢフラッシュドライブ、ＳＤメモリーカードなどに接続して、携帯電話、コンピュータ、ビデオプレーヤー、ＵＳＢフラッシュドライブ、ＳＤメモリーカードなどの画面イメージを拡大して最適な投射光路が得られ、理想的な拡大画像を見ることができ、目の負担を効果的に軽減する。【選択図】図４
0003217499.tif 000002
【実用新案登録請求の範囲】
【請求項１】
一種の拡大表示画面デバイスであり、スタンドと、表示モジュールと、反射モジュールと、拡大モジュールと、を含み、
前記スタンドは回転軸を備え、
前記表示モジュールは、前記回転軸に枢動可能に接続され、画像を表示し、
前記反射モジュールは、反射片と遮光板とを含み、前記反射片は、前記表示モジュールによって表示された画像を受け取り、反射画像を反射するために使用され、前記遮光板は、前記表示モジュールの両測に固定され、箱体を形成し、
前記拡大モジュールは、拡大片と、前記反射片の反射像を受光して反射像を拡大して表示するブラケットとを備え、前記ブラケットは前記表示モジュールの上部に固定されていることを特徴とする、拡大表示画面デバイス。
【請求項２】
前記反射片は凸面鏡であり、前記拡大片は凹面鏡であることを特徴とする、請求項１に記載の拡大表示画面デバイス。
【請求項３】
前記表示モジュールは、更にスピーカユニットを含むことを特徴とする、請求項１に記載の拡大表示画面デバイス。
【請求項４】
前記回転軸は前記表示モジュールの背面に固定されていることを特徴とする、請求項１に記載の拡大表示画面デバイス。
【請求項５】
前記回転軸には、角度を固定する弾性力を与える弾性片が設けられていることを特徴とする、請求項１に記載の拡大表示画面デバイス。
【請求項６】
前記スタンドはL字型の枠体であり、前記スタンドの底面には複数の滑り止めマットが配置されていることを特徴とする、請求項１に記載の拡大表示画面デバイス。
【請求項７】
前記ブラケットは、複数のねじによって前記表示モジュールに固定されることを特徴とする、請求項１に記載の拡大表示画面デバイス。
【請求項８】
前記表示モジュールは、さらに、前記表示モジュールの機能として使用されるボタン群を含むことを特徴とする、請求項１に記載の拡大表示画面デバイス。
【請求項９】
前記表示モジュールは、さらに、入力コネクタを含むことを特徴とする、請求項１に記載の拡大表示画面デバイス。
【請求項１０】
前記回転軸は前記表示モジュールの底部に固定されていることを特徴とする、請求項１に記載の拡大表示画面デバイス。
【考案の詳細な説明】
【技術分野】
【０００１】
本考案は拡大表示画面デバイスに関し、特に、最適化された投射光路を提供することができ、携帯電話、コンピュータ、テレビとの接続することにより、ユーザーが理想的な拡大画像を見ることができるように携帯電話、コンピュータ、テレビの画面画像を拡大して使用することで、目の負担を効果的に軽減することができる。
【背景技術】
【０００２】
近視は医学的には、5%が遺伝的要因であるだけでなく、長時間、至近距離でものを見ることが主因であると証明されている。日常生活の中での長時間の至近距離による視覚活動を思い出してみると、通常はテレビを見ることを連想するが、テレビを見る距離は2、3メートル以上であり、真の近視の要因とはいえない。食事や着こなしなどの動作は、長く見つめるのではなく、長く見つめる主な活動は文字を書いたり、読んだりすることであるが、ここ数年は、携帯電話やタブレットやパソコンを長時間で見る人も増えている。文字は人類の文明の進化とって大事な要因であることは言うまでもない。そして文字は、人類が眼を使用する習慣も変えた。文字がない以前、人類はごくまれに長時間、至近距離でものを見ることがあり、近視は文明以前の大昔の人類にとって、起こる確率が低いはずのことであり、これは近視遺伝子を持つ人間がなぜ進化論から淘汰されてないかの原因を説明できるものである。人間が文字を発明した後、近視は少数の文字を読める人々に広がった。教育が普及するにつれ、人類の近視が定着しつつある。
【０００３】
眼科医は字を書くのに30センチの距離を保ち、パソコンは60センチの距離を保つことをよく勧める。30センチ、60センチは魔物の数ではない。距離を保つことは目の健康に良いことである。操作距離にとらわれているだけで、スクリーンと本に描かれた文字の大きさが遠ざかったらはっきりと見えないので、このようなアドバイスがあったのである。操作距離に限らず、例えばパソコンのマウスを使うと、スクリーンが本より遠くなり、文字の図案が拡大する。本もパソコンのスクリーンも、視覚距離が遠ければ遠いほど、目の健康によい。
【０００４】
近接物を見る時間を短縮することは、字を書く時間を減らさなければならないことを意味し、授業の成績が後退するリスクを招きかねない。携帯電話を使用して遊ばず、子供の楽しみを奪うことは現実的でない。授業の成績と餘暇の選択に最も影響を及ぼさないで、ただ読書、書字の視覚距離を一定に保つことしかできない。しかし、字体や画面が拡大されていない限り、視野が遠ざかると目の認識能力が下がり、かえって目の疲労を招きやすくなる。しかも、視覚が遠ざかったり、両手が操作できる範囲を越えたりすることもあり、自然な読書と書字の視野距離は約40センチで、視覚距離を延ばすにはおそらく新しい技術の補助に頼らなければならないだろう。
【０００５】
以上のような問題を解決するために、業界は様々な解決技術案を次々と提案している。
【先行技術文献】
【特許文献】
【０００６】
【特許文献１】中国特許第ＣＮ２０３０５７２４９Ｕ号明細書
【特許文献２】中国特許第ＣＮ２０３６０８２８２Ｕ号明細書
【特許文献３】中国特許第ＣＮ２０１０６０３１８Ｙ号明細書
【特許文献４】台湾特許第Ｍ５５５０４９号明細書
【特許文献５】台湾特許第Ｉ５１８３６９号明細書
【特許文献６】台湾特許第Ｉ５６３３６１号明細書
【特許文献７】台湾特許第２９８６２５号明細書
【特許文献８】台湾特許公開第２０１６０８２７９
【特許文献９】台湾特許第Ｍ５４１４０４号明細書
【特許文献１０】台湾特許第Ｍ５３５８１１号明細書
【特許文献１１】台湾特許第Ｍ５３６３６２号明細書
【特許文献１２】台湾特許第Ｍ５４８２７５号明細書
【０００７】
代表的な引用例は最初の図に示されているＣＮ２０３６０８２８２Ｕ（以下、引用文献と呼ぶ）である。引用文献は、投射鏡５１と拡大鏡５２とを含む携帯電話スクリーン拡大プロジェクタである。投射鏡５１には鏡面５１０が設けられている。鏡面５１０は凹曲面を有しており、携帯電話スクリーン３から得られた画像コンテンツを拡大鏡５２に投影するのを容易にする。投射鏡５１はスタンド５１１と組み合わされて、収合作業が行われなければならない。拡大鏡５２には鏡面５２０が設けられている。鏡面５２０は凹曲面を有しており、投射鏡５１から受け取った携帯電話スクリーン５３の画像内容の拡大を容易にする。拡大鏡５２は、前述のスタンド５１１と組み合わされて収合動作を達成する。投射鏡５１は、携帯電話の画像を取得し、拡大鏡５２に反射する。拡大鏡５２は、携帯電話の画像を拡大して、ユーザーの視聴を容易にする。この場合には、ユーザーは、画面のコンテンツの表示を容易にするために携帯電話のビデオコンテンツを拡大表示することができるが、投射鏡５１と拡大鏡５２との間の角度および距離を調整するために手動で操作する必要がある。ユーザーにとっては、このような調整操作は不便で時間がかかるため、操作調整上不便である。ユーザーに即時視認できるように、最適化された投影光路を直ちに得ることは不可能であり、また、引用文献の使用は、携帯電話画面の拡大に限られ、コンピュータおよびテレビ画面画像の拡大をもたらさないので、使用範囲が非常に限られている。
【考案の概要】
【考案が解決しようとする課題】
【０００８】
このため、本考案の考案者は多くの研究と改良の後、最終的に拡大表示画面デバイスを完成させた。つまり、本考案の目的は、投影光路を最適化する拡大表示画面デバイスを提供することであり、携帯電話、コンピュータ、およびテレビとの接続により、携帯電話、コンピュータおよびテレビの画面イメージを拡大することができる。ユーザーは目の負担を効果的に軽減するため、理想的な拡大画像を見ることができる。また、投射光路が最適化されており、表示モジュールと反射モジュールと拡大モジュールとの距離や投射角度をユーザーが調整する必要はなく、ユーザーは身体や目の位置を見るだけでよい。回転軸の角度を微調整することにより、ユーザーは最適な視野角を容易に得ることができる。
【課題を解決するための手段】
【０００９】
上記目的を達成するために、本考案の拡大表示画面デバイスは、スタンドと、表示モジュールと、反射モジュールと、拡大モジュールと、を含む。
【００１０】
スタンドは回転軸を備えている。表示モジュールは、回転軸に枢動可能に接続され、画像を表示する。表示モジュールは、回転軸に枢動可能に接続され、画像を表示する。反射モジュールは、反射片と遮光板とを含み、反射片は、表示モジュールよって表示された画像を受け取り、反射画像を反射するために使用される。遮光板は、表示モジュールの両測に固定され、箱体を形成する。拡大モジュールは、拡大片と、反射片の反射像を受光して反射像を拡大して表示するブラケットとを備え、ブラケットは表示モジュールの上部に固定されている。上記反射片は凸面鏡であり、拡大片は凹面鏡である。表示モジュールは、更にスピーカユニットを含む。回転軸は表示モジュールの背面に固定されている。回転軸は表示モジュールの底部に固定されている。回転軸には、角度を固定する弾性力を与える弾性片が設けられている。スタンドはＬ字型の枠体であり、スタンドの底面には複数の滑り止めが配置されている。ブラケットは、複数のねじによって表示モジュールに固定される。表示モジュールは、さらに、表示モジュールの機能として使用されるボタン群を含む。表示モジュールは、さらに、入力コネクタを含む。
【考案の効果】
【００１１】
本考案の特徴は、最適化された投射光路を提供する拡大表示画面デバイスであり、凹面鏡の虚像結像原理を用いて、対象物は数倍に拡大され、対象物距離よりも数倍長い距離で結像される。携帯電話、コンピュータ、テレビとの接続により、携帯電話、コンピュータ、テレビの画面画像を拡大して使用することができ、最適な投射光路を提供し、ユーザーは理想的な拡大画像を見ることができ、目の負担を軽減する。さらに、本考案は、画面デバイスの画面を拡大して表示し、表示ジュールから反射モジュール、そして拡大モジュールまでは固定距離と固定角度に最適化されている。したがって、ユーザーは、表示モジュール、反射モジュール、および拡大モジュール間の距離および投影角度を調整する必要はない。ユーザーの身体や目の位置に合わせて回転軸の角度を微調整すればよいので、最適な視野角度を容易に得ることができ、使い勝手が良く、効果的に従来のデバイスの使用上の欠如を解決することができる。
【図面の簡単な説明】
【００１２】
【図１】先行特許の概略図である。
【図２】本考案の３次元模式図（１）である。
【図３】本考案の３次元模式図（２）である。
【図４】本考案の３次元分解図である。
【図５】本考案の操作の模式図である。
【図６】本考案の実施形態を示す投射光路の模式図である。
【考案を実施するための形態】
【００１３】
次に、本考案のその他の効果及び技術特徴についての説明に入る。本技術の熟知者は、以下の説明を読めば本考案の実現が可能となる。
【００１４】
図２乃至図４に示すように、本考案の拡大表示画面デバイスは、回転軸１１を備えたスタンドと、表示モジュールと、反射モジュールと、拡大モジュールと、を含む。
【００１５】
表示モジュール２は一側が回転軸１１に枢接され、画像を表示する。
反射モジュール３は、反射片３１と、遮光板３２とを備えている。反射片３１は、凸面鏡であり、表示モジュール２によって表示された画像を受け取るために用いられる。反射画像を反映して、遮光板３２は、表示モジュール２の両側に固定され、箱体を形成する。
【００１６】
拡大モジュール４は、拡大片４１とブラケット４２とを備えている。拡大片４１は、表示モジュール２の上部に固定され、拡大片４１は、凹面鏡である。虚像結像は、凹面鏡の結像を介して動作する。凹面鏡結像公式は：１／ｐ＋１／ｑ＝１／ｆ：ｆピント，ｑ物体距離，ｐ映像距離である。一般的な拡大倍率は、虚像を拡大することができ、または同じ比率で虚像距離を遠くにすることができる。拡大片６１は、反射片５１が反射した反射映像を受け取り、その反射映像を拡大して表示する。
【００１７】
回転軸１１は、弾力片１１１を備え、弾力片１１１は、固定角度の弾性力を与えるために回転軸１１を任意に回転させてその角度を調整することができる。しかし、弾力片１１１の弾性力が支持しているため、調整後に回転軸１１が変位せず、固定角度も変化しない。
【００１８】
スタンド１は、Ｌ字型の本体である。スタンド１には、拡大表示画面の摺動を防止するために、底面に複数の滑り止めパッド１２が設けられている。
表示モジュール２は、液晶画面、ＬＥＤ画面、コンピュータ画面またはテレビ画面である。
【００１９】
また、表示モジュール２は、さらに、入力コネクタ２１およびバックカバー２２を備えている。入力コネクタ２１は、ＨＤＭＩ（登録商標）、ＤＶＩ、ディスプレイポートまたはＤ−ＳＵＢスロット、ＵＳＢスロット、ＳＤメモリーカードスロットなどである。 バックカバー２２は、入力コネクタ２１の外側を覆っている。
【００２０】
上記表示モジュール２は、さらに、ボタン群２３を含み、ボタン群２３は、表示モジュール２の機能操作として用いられる。ボタン群２３は、電源キー２３１、メニューキー２３２、終了キー２３３、カーソルアップキー２３４（記号＜で示す）、およびカーソルダウンキー２３５（記号＞で示す）を含む。電源ボタン２３１は、表示モジュール２を有効（ＯＮ）または無効（ＯＦＦ）にすることができる。メニューボタン２３２を押すと、画面表示メニューを表示する。表示モジュール２がメニューを表示すると、終了ボタン２３３を押すと画面表示メニューが終了し、カーソル上ボタン２３４またはカーソル下ボタン２３５を押すと、現在の機能の設定が変更される。
【００２１】
また、表示モジュール２は、スピーカユニットを介してユーザーに音声メッセージを通知するスピーカユニット（図示せず）をさらに備える。表示モジュール２は、回転軸１１の一側に枢接され、その理想的な枢接位置は、表示モジュール２の背面にある（すなわち、表示モジュール２の背面に固定されている ）、または表示モジュール２の底部（すなわち、表示モジュール２の底部に回転軸１１が固定されている）に配置される。上記ブラケット４２は、複数のネジ４２１により表示モジュール２に固定され、バックカバー２２は、複数のネジ４２１の外側を覆っている。
【００２２】
また、図５および図６を参照して、本考案の投射光路Ｌは、反射光路Ｌ１および拡大光路Ｌ２を含むものとする。拡大表示画面デバイスで使用する場合には、表示モジュール２の入力コネクタ２１を用いて携帯電話（またはコンピュータ、ビデオプレーヤー、ＵＳＢフラッシュディスク、ＳＤメモリーカードなど）を接続し、表示モジュール２に画像を表示させる。反射片３１の反射光路Ｌ１を介して、ユーザーの目Ｅは、拡大片４１を介して反射片３１の反射像を受け取ることができる。この拡大された光路Ｌ２を介して、ユーザーは遠方の結像領域Ｅ１の拡大画像を見ることができる。この投影光路Ｌの説明は、上述したように、本考案の実施形態では、物体を数倍に拡大して物体距離（約２Ｍ程度）の数倍の距離で結像することができる物理光学において、凹面鏡の虚像結像原理を利用している。この光学技術を使用することで、近距離物体の長期観察の問題を解決することができる。目は、２メートル離れた視界距離を拡大されるので、ユーザーは長時間で画面に近すぎるに起因する近視を引き起こさない。
【００２３】
本考案は、画像の投射光路Ｌを表示モジュール２から反射モジュール３、更に拡大モジュール４までに対して一定の距離および一定の角度で最適化したので、ユーザーは、表示モジュール２を調整する必要がない。反射モジュール３と拡大モジュール４との間の距離および投射角度は、ユーザーの身体および目に見える位置に応じて、回転軸１１の角度を微調整するだけで、最適な視野角度に容易に調整することができる。目にかかる負担を軽減するために、ユーザーに理想的な拡大画像を表示させる。同時に、携帯電話、コンピュータ、オーディオ/ビデオプレーヤー、ＵＳＢフラッシュドライブ、ＳＤメモリーカードなどと接続することができ、携帯電話、コンピュータ、ビデオおよびオーディオプレーヤー、ＵＳＢフラッシュドライブ、およびＳＤメモリーカードの画面イメージを拡大することができる。そして、効果的に使用範囲を改善する。
【００２４】
要約すると、本考案は、投射光路を最適化する拡大表示画面デバイスを提供する。凹面鏡の虚像結像原理を用いて、対象物を数倍に拡大し、対象物距離よりも数倍長い距離で結像することができる。目に見えるのは、２メートルを超える視覚的な距離であり、携帯電話、コンピュータ、およびテレビのユーザーは、長時間で画面に近すぎることに起因する近視を引き起こさない。ユーザーは、目の負担を軽減するために理想的な拡大画像を見ることができ、効果的に従来のデバイスの使用上の欠如を解決することができる。さらに、本考案に用いられる技術的手段は、以前の技術では見られず、したがって本考案は新規性および進歩性を満たしている。
【００２５】
本考案で提案された具体的な実施形態は、本考案の技術、内容を説明するためだけであって、本考案を狹義に上記の実施形態に限定するものではない。本考案の精神と実用新案登録の範囲を超えない状況で、行った種々の変化実施は、依然として本考案の範囲に属する。
【符号の説明】
【００２６】
〔従来の技術〕
５１ 投射鏡
５１０鏡面
５１１スタンド
５２拡大鏡
５２０鏡面
５３携帯電話スクリーン
〔本考案〕
１スタンド
１１回転軸
１１１弾力片
１２滑り止めパッド
２表示モジュール
２１入力コネクタ
２２バックカバー
２３ボタン群
２３１電源キー
２３２メニューキー
２３３終了キー
２３４カーソルアップキー（＜キー）
２３５カーソルダウンキー（＞キー）
３反射モジュール
３１反射片
３２遮光板
４拡大モジュール
４１拡大片
４２ブラケット
４２１ネジ
Ｅ目
Ｅ１結像区
Ｌ投射光路
Ｌ１ 反射光路
Ｌ２ 拡大光路
【図１】
0003217499.tif 000003
【図２】
0003217499.tif 000004
【図３】
0003217499.tif 000005
【図４】
0003217499.tif 000006
【図５】
0003217499.tif 000007
【図６】
0003217499.tif 000008